(57)【要約】【課題】リム部に傷が付くことを抑制すると共に、リム部の周縁部の厚さの違いに対応することが可能なバランスウエイトを提供すること。【解決手段】ウエイト本体１０と、ウエイト本体１０をホイールのリム部の周縁部に繋止可能な繋止部材２０と、を有するバランスウエイトであって、繋止部材２０は、弾性を有する素材によって形成されると共に、弾性変形された状態で周縁部を挟み込むように取り付けられ、復元力によってウエイト本体１０を周縁部に繋止することを特徴とする。【選択図】図１
2007162860.tif 000002
【特許請求の範囲】
【請求項１】
ウエイト本体と、該ウエイト本体をホイールのリム部の周縁部に繋止可能な繋止部材と、を有するバランスウエイトであって、
前記繋止部材は、弾性を有する素材によって形成されると共に、弾性変形された状態で前記周縁部を挟み込むように取り付けられ、復元力によって前記ウエイト本体を前記周縁部に繋止する、
ことを特徴とする、バランスウエイト。
【請求項２】
請求項１に記載のバランスウエイトであって、
前記繋止部材は、塑性変形を伴わずに前記周縁部に取り付けられる、
バランスウエイト。
【請求項３】
請求項１又は２に記載のバランスウエイトであって、
前記繋止部材は、
前記ウエイト本体が一方の側に固定された中央部から両端部に向けて延在する部材であって、
自然状態においては、該中央部から両端部にかけて前記ウエイト本体が固定された側とは逆の側に湾曲する形状をしており、
前記ウエイト本体を前記周縁部に繋止する繋止状態においては、前記両端部において前記周縁部を内側から押圧すると共に、該両端部に比して前記中央部側の部分において前記周縁部を外側から押圧する、
バランスウエイト。
【請求項４】
請求項１又は２に記載のバランスウエイトであって、
前記繋止部材は、
前記ウエイト本体が一方の側に固定された中央部から両端部に向けて延在する部材であって、
自然状態においては、該中央部から両端部にかけて前記周縁部に比して大きい曲率半径をもって前記ウエイト本体が固定された側に湾曲する形状をしており、
前記ウエイト本体を前記周縁部に繋止する繋止状態においては、前記両端部において前記周縁部を内側から押圧すると共に、該両端部に比して前記中央部側の部分において前記周縁部を外側から押圧する、
バランスウエイト。
【請求項５】
請求項１又は２に記載のバランスウエイトであって、
前記繋止部材は、
前記ウエイト本体が一方の側に固定された中央部から両端部に向けて延在する部材であって、
自然状態においては、略直線状の形状をしており、
前記ウエイト本体を前記周縁部に繋止する繋止状態においては、前記両端部において前記周縁部を内側から押圧すると共に、該両端部に比して前記中央部側の部分において前記周縁部を外側から押圧する、
バランスウエイト。
【請求項６】
請求項１又は２に記載のバランスウエイトであって、
前記繋止部材は、
前記ウエイト本体が一方の側に固定された中央部から両端部に向けて延在する部材であって、
自然状態においては、該中央部から両端部にかけて前記周縁部に比して小さい曲率半径をもって前記ウエイト本体が固定された側に湾曲する形状をしており、
前記ウエイト本体を前記周縁部に繋止する繋止状態においては、前記両端部において前記周縁部を外側から押圧すると共に、該両端部に比して前記中央部側の部分において前記周縁部を内側から押圧する、
バランスウエイト。
【発明の詳細な説明】
【技術分野】
【０００１】
本発明は、バランスウエイトに関し、特に、ウエイト本体と、ウエイト本体をホイールのリム部の周縁部に繋止可能な繋止部材と、を有するバランスウエイトに関する。
【背景技術】
【０００２】
従来、ホイールにタイヤを組み付けた状態での重量バランス、すなわちホイールバランスを調整する作業が行なわれている。タイヤのある部分が他より重いと、タイヤを車に取り付けた状態では、この重い部分が下になって止まろうとする力が働く。この時の不釣り合いを静的アンバランスという。また、幅広の偏平タイヤなどでは、周上で静的バランスがとれていても、断面方向に重量の不均一があると、軸がいわゆる「すりこぎ運動」を起こす。この不釣り合いを動的アンバランスという。新しいタイヤを装着したときは通常ホイールバランスをとるが、走行するうちにホイールバランスはタイヤの摩耗やホイールの損傷などで少しずつ狂ってくるため、ホイールバランスのとり直しが必要となる。
【０００３】
ホイールバランスをとるために、バランスウエイトがホイールに装着される。例えば、ブロック状の金属で構成されることによりリム部の内側面に沿って変形可能なバランスウエイトを、両面テープ等の接着手段によりリム部の内側面に貼り付ける態様のものや、リム部の周縁部よりも狭い間隔のクリップとバランスウエイト本体とを備え、周縁部がクリップに圧入することによりリム部に固定される態様のものが知られている。後者の一例として、例えば、特許文献１に記載のものが知られている。
【特許文献１】特開昭５８−８１８０３号公報
【発明の開示】
【発明が解決しようとする課題】
【０００４】
しかしながら、リム部の周縁部がクリップに圧入することによりリム部に固定される態様の、いわゆる打ち込み式のバランスウエイトでは、周縁部をクリップに圧入させる際に、ハンマー等を用いてクリップをリム部に固定する作業が行なわれるため、リム部に傷が付く場合が生じる。また、複数の種類のホイールを扱う整備現場においては、リム部の周縁部の厚さの違いによって異なる種類のバランスウエイトを用意しなければならない。
【０００５】
本発明はこのような課題を解決するためのものであり、リム部に傷が付くことを抑制すると共に、リム部の周縁部の厚さの違いに対応することが可能なバランスウエイトを提供することを主たる目的とする。
【課題を解決するための手段】
【０００６】
上記目的を達成するための本発明の一態様は、ウエイト本体と、ウエイト本体をホイールのリム部の周縁部に繋止可能な繋止部材と、を有するバランスウエイトであって、繋止部材は、弾性を有する素材によって形成されると共に、弾性変形された状態で周縁部を挟み込むように取り付けられ、復元力によって前記ウエイト本体を周縁部に繋止することを特徴とするものである。
【０００７】
この本発明の一態様によれば、繋止部材が、弾性を有する素材によって形成されると共に、弾性変形された状態で周縁部を挟み込むように取り付けられ、復元力によって前記ウエイト本体を周縁部に繋止する。従って、ハンマー等によって周縁部を押し込む作業を伴わないため、リム部に傷が付くことを抑制すると共に、リム部の周縁部の厚さの違いに対応することが可能となる。
【０００８】
また、本発明の一態様において、繋止部材は、好ましくは、塑性変形を伴わずに前記周縁部に取り付けられる。
【０００９】
また、本発明の一態様において、繋止部材は、例えば、ウエイト本体が一方の側に固定された中央部から両端部に向けて延在する部材であって、自然状態においては、中央部から両端部にかけてウエイト本体が固定された側とは逆の側に湾曲する形状をしており、ウエイト本体を周縁部に繋止する繋止状態においては、両端部において周縁部を内側から押圧すると共に、両端部に比して中央部側の部分において周縁部を外側から押圧する。ここで、自然状態とは、ホイールに取り付けられていないため、復元力を発揮していない状態をいう。また、周縁部における「内側」とは、タイヤが取り付けられる側の反対側をいい、「外側」とは、タイヤが取り付けられる側をいう。
【００１０】
また、本発明の一態様において、繋止部材は、例えば、ウエイト本体が一方の側に固定された中央部から両端部に向けて延在する部材であって、自然状態においては、中央部から両端部にかけて周縁部に比して大きい曲率半径をもってウエイト本体が固定された側に湾曲する形状をしており、ウエイト本体を周縁部に繋止する繋止状態においては、両端部において周縁部を内側から押圧すると共に、両端部に比して中央部側の部分において周縁部を外側から押圧する。
【００１１】
また、本発明の一態様において、繋止部材は、例えば、繋止部材は、ウエイト本体が一方の側に固定された中央部から両端部に向けて延在する部材であって、自然状態においては、略直線状の形状をしており、ウエイト本体を周縁部に繋止する繋止状態においては、両端部において周縁部を内側から押圧すると共に、両端部に比して中央部側の部分において周縁部を外側から押圧する。
【００１２】
また、本発明の一態様において、繋止部材は、例えば、繋止部材は、ウエイト本体が一方の側に固定された中央部から両端部に向けて延在する部材であって、自然状態においては、中央部から両端部にかけて周縁部に比して小さい曲率半径をもってウエイト本体が固定された側に湾曲する形状をしており、ウエイト本体を周縁部に繋止する繋止状態においては、両端部において周縁部を外側から押圧すると共に、両端部に比して中央部側の部分において周縁部を内側から押圧する。
【発明の効果】
【００１３】
本発明によれば、リム部に傷が付くことを抑制すると共に、リム部の周縁部の厚さの違いに対応することが可能なバランスウエイトを提供することができる。
【発明を実施するための最良の形態】
【００１４】
以下、本発明を実施するための最良の形態について、添付図面を参照しながら実施例を挙げて説明する。
【実施例】
【００１５】
図１は、本発明の第１実施例に係るバランスウエイト１の自然状態（ホイールに取り付けられていない状態をいう、以下同じ）における外観形状の一例を示す斜視図である。また、図２（Ａ）は、本発明の第１実施例に係るバランスウエイト１の自然状態における正面図であり、図２（Ｂ）は、図２（Ａ）のＡ−Ａ´面におけるバランスウエイト１の断面図である。図１及び図２に示す如く、バランスウエイト１は、ウエイト本体１０と、クリップ部２０と、固定部３０と、からなる。
【００１６】
ウエイト本体１０は、例えば、鉄等の金属で形成されており、ホイールバランスの修正程度によって大きさや重さが決定される。ウエイト本体１０は、例えば、ホイールに取り付けられた状態でホイールのリム部の内周面に沿うように略円弧状に湾曲した形状を有する。
【００１７】
クリップ部２０は、例えば、弾性を有するバネ鋼により形成されており、自然状態では、ウエイト本体１０の湾曲方向に対して逆の向きに湾曲した形状をしている。クリップ部２０は、ホイールに取り付けられた状態においてリム部の周縁部の内側（タイヤが装着される面の反対側）に接する内接部２２と、同じくホイールに取り付けられた状態においてリム部の周縁部の外側（タイヤが装着される側）に接する外接部２４と、を有する。なお、内接部２２と外接部２４は、一体に形成されている。
【００１８】
固定部３０は、ウエイト本体１０とクリップ部２０とを固定するためのものであり、例えば、クリップ部２０と一体に形成されている。固定部３０には、固定用の穴が形成されており、ウエイト本体に形成された突起をこの穴に挿入してカシメる（塑性変形させる）ことにより、ウエイト本体１０とクリップ部２０とを固定する。なお、この固定態様に関しては本発明の中核をなさず、他の如何なる手法（例えば、溶接やボルトによる固定等）を用いてウエイト本体１０とクリップ部２０とを固定してもよい。
【００１９】
ここで、従来使用されている、いわゆる打ち込み式のバランスウエイトがホイールに取り付けられる場合を考える。図３に示す如く、打ち込み式のバランスウエイトには、ハンマー等を用いてホイールのリム部の周縁部が押し込まれ、この際にクリップ部が塑性変形してホイールに取り付けられる。このため、リム部等に傷が付く場合があり、また、ホイールの種類の違いに応じて、周縁部の厚さよりもクリップ部の間隔が若干狭い程度のものを用意しなければならない。また、クリップ部が塑性変形するため、再使用は一般的に困難である。さらに、ハンマー等を用いて押し込むため、作業性が比較的煩雑なものとなる場合もある（作業台にホイールを固定する必要など）。
【００２０】
図４は、本発明の一実施例に係るバランスウエイト１がホイールに取り付けられた状態を示す図である。バランスウエイト１は、クリップ部２０が、ホイールのリム部の周縁部に沿うように弾性変形した状態で取り付けられる。図中、矢印は、クリップ部２０の復元力により、クリップ部２０から周縁部に加えられる押圧力である。図示する如く、内接部２２の外端部分で周縁部を押圧すると共に、それより中央部分において、外接部２４が周縁部を押圧することとなる。このように作用する力によって、バランスウエイト１は、ホイールに繋止される。従って、ハンマー等を用いて繋止しないため、リム部等に傷が付くことを抑制することができる。また、塑性変形を伴わないため、再使用が可能な場合もある。さらに、作業性も比較的容易である。
【００２１】
なお、図５（Ａ）は、図４の、クリップ部２０から押圧力が周縁部に加えられるポイントである、Ｂ−Ｂ´面におけるバランスウエイト１や周縁部の断面図を示す。また、図５（Ｂ）は、図４のＣ−Ｃ´面におけるバランスウエイト１や周縁部の断面図を示す。図示するように、内接部２２と外接部２４の間隔は、周縁部の厚さに厳密に適合するものである必要がなく、若干のクリアランスがあってよい。このことが、ホイールの種類の違いに起因するリム部の周縁部の厚さの違いに対応することを可能としている。
【００２２】
このように、本発明の一実施例に係るバランスウエイト１によれば、ハンマー等によって周縁部を押し込む作業を伴わないため、リム部等に傷が付くことを抑制することができる。また、再使用や、作業性を比較的容易にすることが可能である。また、内接部２２と外接部２４の間隔が、周縁部の厚さに厳密に適合するものである必要がないため、ホイールの種類の違いに起因するリム部の周縁部の厚さの違いに対応することが可能である。
【００２３】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００２４】
例えば、クリップ部２０の形状については、実施例に例示したものに限られない。まず、図６（Ａ）に示す、本発明の他の実施例に係るバランスウエイト２の如く、外接部２４が中央に一つだけ形成されたものでもよい。また、より柔軟な材質であれば、図６（Ｂ）に示す、本発明の他の実施例に係るバランスウエイト３の如く、内接部２２の略全部分に対向して設けられてもよい。このように、外接部２４の個数や大きさについては、如何なる態様であってもよい。なお、これらの他の実施例が有する構成において、本発明の一実施例に係るバランスウエイト１と同一の符号を用いた。
【００２５】
また、図７（Ａ）に示す、本発明の他の実施例に係るバランスウエイト４の如く、クリップ部２０の自然状態での形状が直線状であってもよく、クリップ部２０の復元力がより強ければ、図７（Ｂ）に示す、本発明の他の実施例に係るバランスウエイト５の如く、クリップ部２０の自然状態での形状が、取り付けられる周縁部の曲率半径よりも大きい曲率半径をもって湾曲したものであってもよい。なお、これらの他の実施例が有する構成において、本発明の一実施例に係るバランスウエイト１と同一の符号を用いた。
【００２６】
また、図８（Ａ）に示す、本発明の他の実施例に係るバランスウエイト６の如く、クリップ部２０の自然状態での形状が、取り付けられる周縁部の曲率半径よりも小さい曲率半径をもってウエイト本体側に湾曲したものであってもよい。この場合、ウエイト本体１０の形状は、周縁部の曲率半径よりも小さい曲率半径をもって湾曲することが望ましい。こうした形状のバランスウエイト６がホイールに取り付けられた様子を、図８（Ｂ）に示す。実施例とは逆に、外接部２４の外端部分で周縁部を押圧すると共に、それより中央部分において、内接部２２が周縁部を押圧することとなる。この場合、内接部２２を特に設けず、ウエイト本体１０が周縁部を内側から押圧する態様のものであってもよい。なお、この他の実施例が有する構成において、本発明の一実施例に係るバランスウエイト１と同一の符号を用いた。
【００２７】
また、クリップ部２０の材質についても、バネ鋼に限られず、弾性を有する素材であればよい。また、弾性を有する素材を用いるのは、内接部２２のみであってもよい。
【００２８】
また、ウエイト本体１０の形状や材質についても、実施例で例示したものに限られない。
【産業上の利用可能性】
【００２９】
本発明は、少なくともバランスウエイトを製造する産業や、自動車整備産業等に利用できる。
【図面の簡単な説明】
【００３０】
【図１】本発明の一実施例に係るバランスウエイト１の自然状態（ホイールに取り付けられていない状態、以下同じ）における外観形状の一例を示す斜視図である。
【図２】本発明の一実施例に係るバランスウエイト１の自然状態における正面図及び断面図である。
【図３】打ち込み式のバランスウエイトがホイールに取り付けられる様子を示す図である。
【図４】本発明の一実施例に係るバランスウエイト１がホイールに取り付けられた状態を示す図である。
【図５】図４の各面におけるバランスウエイト１や周縁部の断面図を示す。
【図６】本発明の他の実施例に係るバランスウエイト２及びバランスウエイト３の正面図である。
【図７】本発明の他の実施例に係るバランスウエイト４及びバランスウエイト５の正面図である。
【図８】本発明の他の実施例に係るバランスウエイト６の正面図、及びバランスウエイト６がホイールに取り付けられた様子を示す図である。
【符号の説明】
【００３１】
１、２、３、４、５、６  バランスウエイト
１０  ウエイト本体
２０  クリップ部
２２  内接部
２４  外接部
３０  固定部
【図１】
2007162860.tif 000003
【図２】
2007162860.tif 000004
【図３】
2007162860.tif 000005
【図４】
2007162860.tif 000006
【図５】
2007162860.tif 000007
【図６】
2007162860.tif 000008
【図７】
2007162860.tif 000009
【図８】
2007162860.tif 000010